(57)【要約】【課題】  触媒被毒を回避するために、改質ガス中に含まれる一酸化炭素を完全に除去し、改質ガスから純粋な水素のみを取り出すことのできる水素抽出装置を得る。【解決手段】  電解質膜３を挟持して、水素は酸化（プロトン化）するが一酸化炭素は吸着しない触媒（例えば、ＰｔＲｕ合金）を持つ第１の電極１と、プロトン還元電極２を配置し、それと電気的に絶縁した状態で、さらに、一酸化炭素を吸着する触媒を持つ第３の電極５１とプロトン還元電極５２を配置する。第１の電極１側に一酸化炭素を含む改質ガスを流す。水素は第２、第４の電極側から回収され、一酸化炭素は第３の電極５１側で二酸化炭素とされて排出される。【選択図】  図４
2004277275.tif 000002
【特許請求の範囲】
【請求項１】
不純物として一酸化炭素を含む改質ガスから水素ガスを抽出する装置であって、電解質膜と、電解質膜を挟持して配置される第１と第２の触媒担持導電体と、第１と第２の触媒担持導電体と回路を組む電源と、第１の触媒担持導電体に改質ガスを導入する手段と、第１の触媒担持導電体から改質ガスを回収する手段と、第２の触媒担持導電体から水素を回収する手段とを備えており、少なくとも第１の触媒担持導電体は少なくとも水素を酸化する機能を有する触媒担持導電体であることを特徴とする水素抽出装置。
【請求項２】
第１の触媒担持導電体は担持触媒がＰｔＲｕ合金またはＰｔＳｎ合金であることを特徴とする請求項１に記載の水素抽出装置。
【請求項３】
第１の触媒担持導電体はさらに担持触媒としてＰｔを含むことを特徴とする請求項２に記載の水素抽出装置。
【請求項４】
第１の触媒担持導電体から改質ガスを回収する手段により回収されたガス中に含まれる一酸化炭素を二酸化炭素に変換する手段をさらに備えることを特徴とする請求項１ないし３のいずれかに記載の水素抽出装置。
【請求項５】
電源の電圧を調整する手段をさらに備えることを特徴とする請求項１ないし４のいずれかに記載の水素抽出装置。
【請求項６】
不純物として一酸化炭素を含む改質ガスから水素ガスを抽出する装置であって、電解質膜と、電解質膜を挟持して配置される第１と第２の触媒担持導電体と、第１と第２の触媒担持導電体と回路を組む電源と、同じ電解質膜を挟持して配置されかつ第１と第２の触媒担持導電体とは電気的に絶縁されて配置される第３と第４の触媒担持導電体と、第３と第４の触媒担持導電体と回路を組む電源と、第１と第３の触媒担持導電体に共通の第１のガス流路と、第２と第４の触媒担持導電体に共通の第２のガス流路と、第１のガス流路に改質ガスを導入する手段と、第３の触媒担持導電体から改質ガスを回収する手段と、第２および第４の触媒担持導電体から水素を回収する手段とを備えており、少なくとも第１の触媒担持導電体は少なくとも水素を酸化する機能を有する触媒担持導電体であり、第３の触媒担持導電体は少なくとも一酸化炭素を吸着する機能を有する触媒担持導電体であることを特徴とする水素抽出装置。
【請求項７】
第１の触媒担持導電体は担持触媒がＰｔＲｕ合金またはＰｔＳｎ合金であり、第３の触媒担持導電体は担持触媒がＰｔであることを特徴とする請求項６に記載の水素抽出装置。
【請求項８】
第１の触媒担持導電体はさらに担持触媒としてＰｔを含むことを特徴とする請求項７に記載の水素抽出装置。
【請求項９】
第１と第２の触媒担持導電体と回路を組む電源の電圧を調整する手段をさらに備えることを特徴とする請求項７または８に記載の水素抽出装置。
【発明の詳細な説明】
【技術分野】
【０００１】
本発明は、不純物として一酸化炭素を含む改質ガスから水素ガスを抽出する装置に関する。
【背景技術】
【０００２】
燃料電池は、水素の有している化学エネルギーを電気エネルギー変換するシステムであり、比較的容易かつ安価に入手できる天然ガス、ナフサなどの炭化水素やメタノールなどのアルコール類である原料ガスを、水蒸気と混合して改質器および一酸化炭素変成器などで改質することにより水素リッチな改質ガスを生成し、その改質ガスを燃料電池の燃料極に供給して発電するようにしている。
【０００３】
従来法により得られる水素リッチな改質ガスは、改質反応に伴う１０〜１５％程度の一酸化炭素が含まれる。一酸化炭素はＰｔのような燃料電池の触媒を劣化（被毒）する原因となるので、完全に除去することが望まれる。そのために、一酸化炭素変成器で改質した改質ガスに空気を混合し、一酸化炭素を選択的に酸化する選択酸化触媒層を通過させることによって一酸化炭素を二酸化炭素とし、改質ガスから一酸化炭素を除去するようにした一酸化炭素除去器が提案されている（特許文献１：特開２０００−２６４６０４号公報）。
【０００４】
また、特許文献２（特表２００１−５０２１０５号公報）には、アノードを２層構成とし、上流側の一層では、水素ガス中に存在する一酸化炭素を混合された酸素により触媒的に酸化して二酸化炭素とし、下流側の二層（電気化学反応を起こす電極層）が一酸化炭素により汚染されない程度までに、改質ガスを純化する方法が提案されている。
【特許文献１】特開２０００−２６４６０４号公報
【特許文献２】特表２００１−５０２１０５号公報
【発明の開示】
【発明が解決しようとする課題】
【０００５】
従来提案されている上記のような一酸化炭素除去方法はいずれも一酸化炭素を完全に除去することは難しい。また、改質ガス中に一酸化炭素が酸化した二酸化炭素がさらに含まれることとなり、水素のみを供給することが困難なことから、電圧低下など燃料電池の性能低下を引き起こす一因となる。微細な多孔質膜である水素分離膜を使用することも行われるが、この場合も水素以外のガスの透過を完全に抑えることができない。また、一般に水素透過量が少ないために、燃料電池に供給するための十分な水素を供給することができない。
【０００６】
本発明は、上記のような事情に鑑みてなされたものであり、改質ガス中に含まれる一酸化炭素をまったく新規な方法により完全に除去して触媒の一酸化炭素による被毒をなくすと共に、改質ガスから純粋な水素を取り出すことのできる新たな水素抽出装置を提供することを目的とする。
【課題を解決するための手段】
【０００７】
本発明による水素抽出装置の第１の態様は、不純物として一酸化炭素を含む改質ガスから水素ガスを抽出する装置であって、電解質膜と、電解質膜を挟持して配置される第１と第２の触媒担持導電体と、第１と第２の触媒担持導電体と回路を組む電源と、第１の触媒担持導電体に改質ガスを導入する手段と、第１の触媒担持導電体から改質ガスを回収する手段と、第２の触媒担持導電体から水素を回収する手段とを備えており、少なくとも第１の触媒担持導電体は水素を酸化する機能を有する触媒担持導電体であることを特徴とする。
【０００８】
上記の水素抽出装置では、基本的に、改質ガス中の一酸化炭素は電気化学的反応を利用して除去される。そのためにより完全に一酸化炭素の除去は進行する。すなわち、一酸化炭素を含む改質ガスは加湿状態で改質ガス導入手段により第１の触媒担持導電体に導入される。第１の触媒担持導電体は、少なくとも水素を酸化する機能を備えた触媒（例えば、ＰｔＲｕ合金、ＰｔＳｎ合金など）を備えており、電源から電流を流すことにより、水素はプロトン（Ｈ+）となり電解質膜を通過して第２の触媒担持導電体に至る。そこで、プロトンは還元されて水素（Ｈ2）となり、水素回収手段を介して、水素のみが取り出される。取り出された水素は例えば燃料電池の燃料として直接利用されるか、一旦タンクに貯蔵される。なお、水素酸化電源の電流値を制御することにより容易に流量を制御することができるので、電圧制御手段などを配置することにより、水素収量を容易に調整することができる利点もある。
【０００９】
第１の触媒担持導電体は、一酸化炭素を吸着する機能を備えなくてもよく、備えていてもよい。前者の場合には、一酸化炭素は第１の触媒担持導電体の触媒に吸着されることなく、その全量が第１の触媒担持導電体からの改質ガスを回収する手段により回収される。第２の触媒担持導電体の担持触媒は従来の燃料電池電極で用いられている触媒であってよく、Ｐｔなどが挙げられる。後者の場合には、第１の触媒担持導電体は、水素を酸化する機能を備えた触媒に加えて、さらに一酸化炭素を吸着する機能を備えた触媒（例えば、Ｐｔなど）を備える。そして、大半の一酸化炭素はＰｔに吸着される。
【００１０】
回収した改質ガスは一酸化炭素を含むので、そのまま大気に放出することは好ましくない。そのために、本発明による水素抽出装置に、さらに、第１の触媒担持導電体から放出される改質ガス中に含まれる一酸化炭素を二酸化炭素に変換する手段を備えることは好ましい。一酸化炭素を二酸化炭素に変換する手段は任意の手段でよく、例えば、従来知られた化学反応による手段、触媒反応による手段、電気化学的反応による手段などを用いうる。第１の触媒担持導電体が一酸化炭素を吸着する機能を有する場合には、改質ガスの導入を停止した状態で第１と第２の触媒担持導電体に電源から定電圧をかけることにより、電気化学反応が進行して、一酸化炭素は二酸化炭素に変化する（実際は、一酸化炭素と水とが反応して、水素と二酸化炭素となる）。二酸化炭素は触媒表面から離脱してそのまま改質ガス回収手段を通して大気に放出される。
【００１１】
本発明による水素抽出装置の第２の態様は、不純物として一酸化炭素を含む改質ガスから水素ガスを抽出する装置であって、電解質膜と、電解質膜を挟持して配置される第１と第２の触媒担持導電体と、第１と第２の触媒担持導電体と回路を組む電源と、同じ電解質膜を挟持して配置されかつ第１と第２の触媒担持導電体とは電気的に絶縁されて配置される第３と第４の触媒担持導電体と、第３と第４の触媒担持導電体と回路を組む電源と、第１と第３の触媒担持導電体に共通の第１のガス流路と、第２と第４の触媒担持導電体に共通の第２のガス流路と、第１のガス流路に改質ガスを導入する手段と、第３の触媒担持導電体から改質ガスを回収する手段と、第２および第４の触媒担持導電体から水素を回収する手段とを備えており、少なくとも第１の触媒担持導電体は水素を酸化する機能を有する触媒担持導電体であり、第３の触媒担持導電体は少なくとも一酸化炭素を吸着する機能を有する触媒担持導電体であることを特徴とする。なお、この場合も、上記第１の態様と同様に、第１の触媒担持導電体は一酸化炭素を吸着する機能を備えるようにしてもよい。
【００１２】
上記の水素抽出装置では、共通の電解質膜に対して、それを挟むようにして配置された第１と第２の触媒担持導電体と、該第１と第２の触媒担持導電体とは電気的に絶縁された状態で電解質膜を挟むようにして配置された第３と第４の触媒担持導電体が備えられており、その第１と第２の触媒担持導電体は上記した第１の態様の水素抽出装置における第１と第２の触媒担持導電体にそのまま対応している。そして、その作用効果は第１の態様の水素抽出装置におけるものと同じである。
【００１３】
第１と第３の触媒担持導電体に共通の第１のガス流路に供給される加湿された改質ガスは、第１の触媒担持導電体を通過する過程で水素の酸化（プロトン化）が進行し、その後、残留する一酸化炭素を含むガスは第１のガス流路を通過して第３の触媒担持導電体に至る。第３の触媒担持導電体は少なくとも一酸化炭素を吸着する機能を有する触媒担持導電体であり、第３と第４の触媒担持導電体に電源から定電圧をかけることにより、電気化学反応が進行して、一酸化炭素は二酸化炭素に変化する。生成された二酸化炭素はそのまま第３の触媒担持導電体から改質ガス回収手段を通して大気に放出される。
【００１４】
また、第３と第４の触媒担持導電体手段が例えばＰｔのように水素酸化能をも持つ触媒を担持している場合には、そこでも、水素のプロトン化、プロトンの電解質膜の通過、第４の触媒担持導電体手段でのプロトンの還元化が生じる。そして、そこで生成された水素は、第２と第４の触媒担持導電体に共通の第２のガス流路を通して回収され、燃料電池の燃料として利用されるので、前記した第１の態様での装置と比較して、さらに効率のよい水素の抽出が行われる。
【００１５】
この形態の水素抽出装置は、共通の電解質膜上に、改質ガスから水素を抽出する手段と一酸化炭素を二酸化炭素に酸化する手段の双方を備えるようにしたので、装置の小形化、簡素化を図ることができ、実用上きわめて有効な装置となる。
【００１６】
なお、本発明の水素抽出装置において、前記一酸化炭素を二酸化炭素に変換する手段から排出されるガスには、第１の触媒担持導電体により酸化されずに排出される水素が含まれることも起こり得る。そのまま大気に放出することは水素の無駄となるので、前記変換手段から排出される排出ガスを、第１の触媒担持導電体への改質ガス導入手段に案内する手段をさらに備えるようにして、水素の完全利用を図るようにすることもできる。
【発明の効果】
【００１７】
上記のように、本発明による装置では、改質ガス中に含まれる一酸化炭素を完全に除去し、改質ガスから純粋な水素のみを効果的に取り出すことが可能となる。この装置を使用することにより、燃料電池での一酸化炭素による触媒被毒を回避することが可能となり、燃料電池の長寿命化、高効率化がもたらされる。
【発明を実施するための最良の形態】
【００１８】
以下、本発明を実施の形態により説明する。図１は本発明による水素抽出装置の第１の形態を説明する図であり、電解質膜３と、それを挟持する第１の電極１と第２の電極２、および、第１の電極１を気密的に覆っている第１の集電体４ａと第２の電極２を気密的に覆っている第２の集電体４ｂとを備える。
【００１９】
電解質膜３は、例えば固体高分子型燃料電池で用いられる電解質膜であってよく、厚さが１０μｍ〜１００μｍ程度のイオン交換膜であって、プロトンが移動する。第１の電極１は水素酸化電極であり、ＰｔＲｕ合金のように水素は酸化するが一酸化炭素は吸着しない触媒物質と担持体（例えば、カーボン担体）と溶媒とからなる触媒インクを、電解質膜３の一面に塗布して形成されている。第２の電極２はプロトン還元電極であり、触媒物質としてＰｔを用いた触媒インクを電解質膜３の他方の面に塗布して形成されている。図示しないが、いずれの電極にも必要な場合には従来知られたガス拡散層が積層される。第１の集電体４ａと第２の集電体４ｂは共にカーボンのような導電性材料で作られており、電極に衝接する面にガス流路５ａ，５ｂが形成されている。
【００２０】
前記第１の電極１と第１の集電体４ａとが本発明でいう第１の触媒担持導電体を構成し、第２の電極２と第２の集電体４ｂとが本発明でいう第２の触媒担持導電体を構成する。そして、電解質膜３も含めて、全体が気密に封止されている。
【００２１】
第１の集電体４ａにおけるガス流路５ａの一方には、図示しない改質ガス製造装置から改質ガスを導入する導入管路１１が接続しており、該ガス流路５ａの他方には流入した改質ガスを排出するための管路１２が接続している。必要な場合には、管路１１にはバルブ１１ａが備えられる。第２の集電体４ｂのガス流路５ｂには、生成された水素を回収するための管路１３が接続しており、管路１３にも必要に応じてバルブ１３ａを備えられる。好ましくは管路１３には流量計６が設置される。さらに、第１の集電体４ａは電源（水素酸化電源）７の＋極に、第２の集電体４ｂは−極に接続しており、電気回路を形成している。
【００２２】
上記の構成であり、バルブ１１ａ，１３ａを開いた状態で、管路１１から水素リッチの改質ガスを送り込むと、改質ガスが第１のガス流路５ａを通過する過程で、水素は水素酸化電極である第１の電極１で酸化されてプロトンが生成される。生成されたプロトンは電解質膜３を通ってプロトン還元電極である第２の電極２に達し、そこでプロトンの還元が起こる。一方、一酸化炭素は第１の電極１で吸着されることなくそのまま第１のガス流路５ａを通過して管路１２から排出される。結果として、改質ガス中の水素のみが装置を透過し、管路１３により回収されることとなる。なお、この水素回収装置において、原理的には短絡状態でも自然電位により水素透過が起こるので、電源７を省略することもできる。しかし、所用の差圧を形成することが必要となることを考慮すると、水素酸化用の電源７を設けることは実際的であり、当該電源７の電圧を制御することにより、水素透過量を制御できるメリットももたらされる。図２はその一例を示しており、電圧と水素流量が比例していることがわかる。
【００２３】
管路１２から排出されるガスには一酸化炭素が含まれる。そのために、好ましくは排出ガス中に含まれる一酸化炭素を二酸化炭素に変換するための適宜の手段２０が管路１２に備えられる。変換手段２０としては、従来知られたＣＯ＋Ｈ2Ｏ→ＣＯ2＋Ｈ2のような化学反応による手段や触媒反応による手段などであってよい。後記するような電気化学的反応による手段を用いることもできる。
【００２４】
図３は本発明による水素抽出装置の第２の形態を示している。この形態では、一酸化炭素の二酸化炭素への変換を電気化学的に行うとともに、水素の抽出と二酸化炭素への変換を共通の電解質膜を利用して行うようにしている。そのために、第１の電極１を、ＰｔＲｕ合金のように水素を酸化する触媒物質を担持したカーボン担持と共に、Ｐｔのように一酸化炭素を吸着する触媒物質をカーボン担体を溶媒（高分子電解質）中に溶解した触媒インクにより形成するとともに、一酸化炭素酸化電源７ｂを水素酸化電源７に加えて設け、また、排出管路１２にバルブ１２ａを設けるようにしている。第１の形態で用いた一酸化炭素を二酸化炭素に変換するための変換手段２０は除去している。なお、水素の抽出にかかる構成と作用は第１の形態の基本的に同じであり、それについては、同じ機能を果たす部材には同じ符号を付すことにより詳細な説明は省略する。
【００２５】
この形態では、改質ガス中の一酸化炭素はＰｔを担持したカーボン担持によって吸着される。すなわち、バルブ１１ａ，１３ａを開き、バルブ１２ａを閉じた状態で、管路１１から水素リッチの改質ガスを送り込むと、第１の電極１と第２の電極２との間では、図１に示した装置と同じようにして、プロトンの生成、移動、プロトンの還元が生じ、管路１３から水素のみが抽出される。一方、その間に、改質ガス中の一酸化炭素はＰｔに吸着される。
【００２６】
一定時間経過後に、あるいは、ＣＯ濃度計により一酸化炭素濃度が所定値に達したことを検出した時点で、水素酸化電源７の電流をゼロにする。バルブ１１ａを閉じ改質ガスの導入を止めた状態で一酸化炭素酸化電源７ｂを入れて１Ｖ程度の定電圧をかける。それにより吸着された一酸化炭素は電気化学反応により二酸化炭素に変換され、バルブ１２ａを開くことにより二酸化炭素は管路１２から排出される。なお、水素酸化電源７と一酸化炭素酸化電源７ｂとを共用することもできる。
【００２７】
上記のように、この形態の水素吸着装置では、一枚の電解質膜を用いた装置でもって、水素の抽出と一酸化炭素から二酸化炭素の生成の双方を行うことができ、装置として小型化が可能であり、運転も容易となる。
【００２８】
図４は本発明による水素抽出装置の第３の形態を説明している。この形態でも、第２の形態と同様にも、一酸化炭素の二酸化炭素への変換を電気化学的に行い、かつ、水素の抽出と二酸化炭素への変換を共通の電解質膜を利用して行っている。この形態では、電解質膜３の一部の領域に図１に示した構成の水素抽出手段が形成されており、残りの領域に水素抽出手段とは電気的に絶縁した状態で一酸化炭素の二酸化炭素への変換手段が形成されている。すなわち、電解質膜３の一方の面には、前記第１の電極１に加えて第３の電極５１がシリカ、アルミナのような絶縁体８ａを挟んで互いに電気的に絶縁した状態で配置されており、他方の面には、第１の電極１に対向する前記第２の電極に加えて、第３の電極５１に対向する第４の電極５２が絶縁体８ｂを挟んで互いに電気的に絶縁した状態で配置されている。第３の電極５１は一酸化炭素吸着・酸化極として機能し、第４の電極はプロトン還元電極としても機能する。なお、第３および第４の電極５１、５２は、触媒物質としてＰｔを持つ前記第２の電極２と同じものであってよく、同じようにして形成される。
【００２９】
第３の電極５１を気密的に覆うようにして第１の集電体４ａと同様な第３の集電体４１ａが、また、第４の電極５２を気密的に覆うようにして第２の集電体４ｂと同様な第４の集電体４１ｂが備えられる。そして、第１の集電体４ａと第３の集電体４１ａは絶縁体８ａにより電気的に絶縁されており、また、第２の集電体４ｂと第４の集電体４１ｂも絶縁体８ｂにより電気的に絶縁されている。第３の集電体４１ａが第３の電極５１に衝接する面にはガス流路５ｃが形成されており、該ガス流路５ｃは第１の集電体４ａに形成したガス流路５ａに連通している。また、第４の集電体４１ｂが第４の電極５２に衝接する面にもガス流路５ｄが形成されており、該ガス流路５ｄは第２の集電体４ｂに形成したガス流路５ｂに連通している。そして、電解質膜３も含めて、全体が気密に封止されている。
【００３０】
なお、前記第３の電極５１と第３の集電体４１ａとが本発明でいう第３の触媒担持導電体を構成し、第４の電極５２と第４の集電体４１ｂとが本発明でいう第４の触媒担持導電体を構成する。また、ガス流路５ａとガス流路５ｃとが「第１と第３の触媒担持導電体に共通の第１のガス流路」に相当し、ガス流路５ｂとガス流路５ｄとが「第２と第４の触媒担持導電体に共通の第２のガス流路」に相当する。
【００３１】
ガス流路５ｃの排出側には、第３の触媒担持導電体から排出されるガスを回収する手段としての管路１４が接続しており、該管路１４には必要に応じてバルブ１４ａが設けられている。また、第３の集電体４１ａは電源（一酸化炭素酸化電源）９の＋極に、第４の集電体４１ｂは−極に接続しており、電気回路を形成している。
【００３２】
上記の構成であり、バルブ１１ａ，１３ａを開き、バルブ１４ａを閉じた状態で、管路１１から水素リッチの改質ガスを送り込むと、第１の電極１と第２の電極２との間では、図１に示した装置と同じようにして、プロトンの生成、移動、プロトンの還元が生じ、管路１３から水素のみが抽出される。残存ガスは第１のガス流路内をガス流路５ａからガス流路５ｃに流動し、第１の電極によっては吸着されない一酸化炭素が、一酸化炭素吸着・酸化電極である第３の電極５１により吸着される。
【００３３】
その状態で所定時間運転を継続すると、第３の電極５１には所要量の一酸化炭素が吸着する。一定時間経過後に、あるいは、ＣＯ濃度計により一酸化炭素濃度が所定値に達したことを検出した時点で、電源（一酸化炭素酸化電源）９を入れて１Ｖ程度の定電圧をかける。それにより吸着された一酸化炭素は電気化学反応により二酸化炭素に変換され、バルブ１４ａを開くことにより二酸化炭素は管路１４から排出される。第３の電極５１側に流れ込む改質ガス中に水素が残存している場合には、第３の電極５１においてプロトン化し、電解質膜３を通過して第４の電極５２で還元されて水素となり、管路５ｄから管路５ｂを通って、管路１３から取り出される。
【００３４】
なお、この形態の水素吸着装置でも、第１の電極１を、第２の形態のものと同様に、ＰｔＲｕ合金のように水素を酸化する触媒物質を担持したカーボン担持と共に、Ｐｔのように一酸化炭素を吸着する触媒物質をカーボン担体を溶媒（高分子電解質）中に溶解した触媒インクにより形成するようにしてもよい。その場合での運転方法は、前記した場合と同様であってよい。また、図示しないが、水素の抽出を行う部分と一酸化炭素を二酸化炭素に変換する部分とを分離することも可能である。その場合には、ガス流路５ａからの排出ガスを適宜の管路を介して、ガス流路５ｃの入り口側に導入するようにすればよい。必要に応じて、ガス流路５ｄ側に水素回収用の管路も取り付ける。
【図面の簡単な説明】
【００３５】
【図１】本発明による水素抽出装置の第１の形態を説明する図。
【図２】水素収量と電圧との関係を示すグラフ。
【図３】本発明による水素抽出装置の第２の形態を説明する図。
【図４】本発明による水素抽出装置の第３の形態を説明する図。
【符号の説明】
【００３６】
１…第１の電極、２…第２の電極、３…電解質膜３、４ａ…第１の集電体、４ｂ…第２の集電体、５ａ，５ｂ、５ｃ，５ｄ…ガス流路、６…流量計、７…水素酸化電源、８ａ、８ｂ…絶縁体、９…一酸化炭素酸化電源、１１…導入管路、１２、１４…排出管路、１３…水素回収管路、４１ａ…第３の集電体、４１ｂ…第４の集電体、５１…第３の電極、５２…第４の電極
【図１】
2004277275.tif 000003
【図２】
2004277275.tif 000004
【図３】
2004277275.tif 000005
【図４】
2004277275.tif 000006